(57)【要約】【課題】  スミア成分を有効に除去することができる撮像装置、撮像方法及びそのプログラムを実現する。【解決手段】  ユーザによりシャッタボタンが押下されると、ＡＥ・ＡＦ処理を行い（ステップＳ３）、ＡＥ処理によって定められた露光時間で静止画撮影処理を行い、該得られた画像データを画像データ保持部２０に記憶させる（ステップＳ４）。ついで、ＡＥ処理によって定められた露光時間の１／ｋ倍の露光時間で静止画撮影処理を行い、該得られた画像データを画像データ保持部２１に記憶させる（ステップＳ５）。画像データ保持部２０及び画像データ保持部２１は、該記憶した画像データを生成手段２２に出力し、生成手段２２は、該送られてきた画像データからスミア成分のない画像データを生成してＣＰＵ９に出力する（ステップＳ６）。そして、ＣＰＵ９は、該送られてきた画像データをフラッシュメモリ１２などに記録する（ステップＳ７）。【選択図】  図３
2006186423.tif 000002
【特許請求の範囲】
【請求項１】
被写体を撮像する撮像手段と、
第１の撮影条件で前記撮像手段による撮像を制御する第１の撮像制御手段と、
第２の撮影条件で前記撮像手段による撮像を制御する第２の撮像制御手段と、
前記第１の撮像制御手段により得られた被写体像を含む画像データと、前記第２の撮像制御手段により得られた被写体像を含む画像データとから、スミア成分のない画像データを生成する生成手段と、
を備えたことを特徴とする撮像装置。
【請求項２】
前記第１の撮像制御手段による撮像と、前記第２の撮像制御手段による撮像を交互に繰り返す動画撮像制御手段
を備え、
前記生成手段は、
前記第１の撮像制御手段により得られた画像データと、前記第２の撮像制御手段により得られた画像データとからスミア成分のない動画データを生成することを特徴とする請求項１記載の撮像装置。
【請求項３】
前記第１の撮像制御手段により撮像された画像データを第１の記憶手段に記憶する第１の記憶制御手段と、
前記第２の撮像制御手段により撮像された画像データを第２の記憶手段に記憶する第２の記憶制御手段と、
を備え、
前記生成手段は、
前記第１の記憶手段に記憶されている画像データと、前記第２の記憶手段に記憶されている画像データとからスミア成分のない画像データを生成することを特徴とする請求項１又は２記載の撮像装置。
【請求項４】
前記第１の記憶制御手段、前記第２の記憶制御手段は、
前記第１の記憶手段、前記第２の記憶手段に画像データが記憶されている場合は、前記第１の撮影制御手段、前記第２の撮影制御手段により撮像された画像データを上書きして記憶することを特徴とする請求項３記載の撮像装置。
【請求項５】
前記生成手段は、
前記第１の記憶制御手段により画像データが前記第１の記憶手段に記憶され且つ前記第２の記憶制御手段により画像データが前記第２の記憶手段に記憶された場合、又は、前記第１の記憶手段及び前記第２の記憶手段に画像データが共に記憶されている状態で、前記第１の記憶制御手段又は前記第２の記憶制御手段のどちらか一方により、新たに前記第１の記憶手段又は前記第２の記憶手段に画像データが記憶された場合には、前記第１の記憶手段に記憶されている画像データと、前記第２の記憶手段に記憶されている画像データとからスミア成分のない画像データを生成することを特徴とする請求項３又は４記載の撮像装置。
【請求項６】
前記生成手段により生成された画像データを記録手段に記録する記録制御手段を備えたことを特徴とする請求項１乃至５の何れかに記載の撮像装置。
【請求項７】
前記生成手段により生成された画像データを表示手段に表示する表示制御手段を備えたことを特徴とする請求項１乃至６の何れかに記載の撮像装置。
【請求項８】
前記第１の撮影条件と、前記第２の撮影条件は、露光時間が異なることを特徴とする請求項１乃至７の何れかに記載の撮像装置。
【請求項９】
前記撮像手段は、ＣＣＤを含み、
前記第１の撮影条件と、前記第２の撮影条件は、ＣＣＤの垂直駆動周波数が異なることを特徴とする請求項１乃至７の何れかに記載の撮像装置。
【請求項１０】
前記第１の撮影条件と、前記第２の撮影条件は、絞り値が異なることを特徴とする請求項１乃至７の何れかに記載の撮像装置。
【請求項１１】
第1の撮影条件で被写体を撮像する第１のステップと、
第２の撮影条件で被写体を撮像する第２のステップと、
前記第１のステップにより得られた被写体像を含む画像データと、前記第２のステップにより得られた被写体像を含む画像データとから、スミア成分のない画像データを生成する第３のステップと、
を含むことを特徴とする撮像方法。
【請求項１２】
被写体を撮像する撮像処理と、
第１の撮影条件で前記撮像処理による撮像を制御する第１の撮像制御処理と、
第２の撮影条件で前記撮像処理による撮像を制御する第２の撮像制御処理と、
前記第１の撮像制御処理により得られた被写体像を含む画像データと、前記第２の撮像制御処理により得られた被写体像を含む画像データとから、スミア成分のない画像データを生成する処理と、
を含み、上記各処理をコンピュータで実行させることを特徴とするプログラム。
【発明の詳細な説明】
【技術分野】
【０００１】
本発明は、撮像装置、撮像方法及びそのプログラムに係り、詳しくは、スミア成分を有効に除去することができる撮像装置、撮像方法及びそのプログラムに関する。
【背景技術】
【０００２】
従来、ＣＣＤ等の撮像素子においては、光が垂直レジスタに入射することにより、撮像した画像データにスミアと呼ばれるものが発生してしまう。
このような問題点を解決するため、このスミアを除去する技術が登場してきている。例えば、前フィールド及び次フィールドでは、ＣＨパルスを発生させずに、φＶ、φＨパルスだけを発生させて、スミア成分のみの画像データを得て、現フィールドのスミア成分のみの画像データを得る。そして、現フィールドでは、ＣＨパルスを発生させ、受光部から電荷転送部に電荷を読み出して通常の画像データを得て、現フィールドの画像データから、該得た現フィールドのスミア成分のみの画像データを減算することによりスミア成分の除去された現フィールドの画像データを得るというものや（特許文献１参照）、撮像レンズを介して供給された被写体からの撮像信号を分光する光学部を設け、第１のＣＣＤイメージセンサは一方の撮像光を受光して撮像出力信号を出力し、第２のＣＣＤイメージセンサは他方の撮像光を受光してスミア成分のみの撮像出力信号を出力することにより、第１のＣＣＤイメージセンサから出力された撮像出力信号から第２のＣＣＤイメージセンサから出力された撮像出力信号を減算することによりスミア成分を除去するというものがある（特許文献２参照）
【０００３】
【特許文献１】公開特許公報  特開平１１−１７７８８８（段落「０００８」〜段落「００２０」参照）
【０００４】
【特許文献２】公開特許公報  特開平６−３３９０７４（段落「００１１」〜段落「００３５」参照）
【発明の開示】
【発明が解決しようとする課題】
【０００５】
しかしながら、特許文献１記載の技術にあっては、画像データを得るためのＣＣＤ駆動と、スミア成分のみの画像データのみを得るための特殊なＣＣＤ駆動を切り替える必要があり、処理負担が増大するという問題点があった。
また、特許文献２記載の技術にあっては、スミア成分を除去するためにスミア成分のみを得るためのＣＣＤを設ける必要があるため、コストが増大し、軽量化、小型化の妨げにもなるという問題点があった。
【０００６】
そこで本発明は、かかる従来の問題点に鑑みてなされたものであり、スミア成分を有効に除去することができる撮像装置、撮像方法及びそのプログラムを提供することを目的とする。
【課題を解決するための手段】
【０００７】
上記目的達成のため、請求項１記載の発明による撮像装置は、被写体を撮像する撮像手段と、
第１の撮影条件で前記撮像手段による撮像を制御する第１の撮像制御手段と、
第２の撮影条件で前記撮像手段による撮像を制御する第２の撮像制御手段と、
前記第１の撮像制御手段により得られた被写体像を含む画像データと、前記第２の撮像制御手段により得られた被写体像を含む画像データとから、スミア成分のない画像データを生成する生成手段と、
を備えたことを特徴とする。
【０００８】
また、例えば、請求項２に記載されているように、前記第１の撮像制御手段による撮像と、前記第２の撮像制御手段による撮像を交互に繰り返す動画撮像制御手段
を備え、
前記生成手段は、
前記第１の撮像制御手段により得られた画像データと、前記第２の撮像制御手段により得られた画像データとからスミア成分のない動画データを生成するようにしてもよい。
【０００９】
また、例えば、請求項３に記載されているように、前記第１の撮像制御手段により撮像された画像データを第１の記憶手段に記憶する第１の記憶制御手段と、
前記第２の撮像制御手段により撮像された画像データを第２の記憶手段に記憶する第２の記憶制御手段と、
を備え、
前記生成手段は、
前記第１の記憶手段に記憶されている画像データと、前記第２の記憶手段に記憶されている画像データとからスミア成分のない画像データを生成するようにしてもよい。
【００１０】
また、例えば、請求項４に記載されているように、前記第１の記憶制御手段、前記第２の記憶制御手段は、
前記第１の記憶手段、前記第２の記憶手段に画像データが記憶されている場合は、前記第１の撮影制御手段、前記第２の撮影制御手段により撮像された画像データを上書きして記憶するようにしてもよい。
【００１１】
また、例えば、請求項５に記載されているように、前記生成手段は、
前記第１の記憶制御手段により画像データが前記第１の記憶手段に記憶され且つ前記第２の記憶制御手段により画像データが前記第２の記憶手段に記憶された場合、又は、前記第１の記憶手段及び前記第２の記憶手段に画像データが共に記憶されている状態で、前記第１の記憶制御手段又は前記第２の記憶制御手段のどちらか一方により、新たに前記第１の記憶手段又は前記第２の記憶手段に画像データが記憶された場合には、前記第１の記憶手段に記憶されている画像データと、前記第２の記憶手段に記憶されている画像データとからスミア成分のない画像データを生成するようにしてもよい。
【００１２】
また、例えば、請求項６に記載されているように、前記生成手段により生成された画像データを記録手段に記録する記録制御手段を備えるようにしてもよい。
【００１３】
また、例えば、請求項７に記載されているように、前記生成手段により生成された画像データを表示手段に表示する表示制御手段を備えるようにしてもよい。
【００１４】
また、例えば、請求項８に記載されているように、前記第１の撮影条件と、前記第２の撮影条件は、露光時間が異なるようにしてもよい。
【００１５】
また、例えば、請求項９に記載されているように、前記撮像手段は、ＣＣＤを含み、前記第１の撮影条件と、前記第２の撮影条件は、ＣＣＤの垂直駆動周波数が異なるようにしてもよい。
【００１６】
また、例えば、請求項１０に記載されているように、前記第１の撮影条件と、前記第２の撮影条件は、絞り値が異なるようにしてもよい。
【００１７】
上記目的達成のため、請求項１１記載の発明による撮像方法は、第１の撮影条件で被写体を撮像する第１のステップと、
第２の撮影条件で被写体を撮像する第２のステップと、
前記第１のステップにより得られた被写体像を含む画像データと、前記第２のステップにより得られた被写体像を含む画像データとから、スミア成分のない画像データを生成する第３のステップと、
を含むことを特徴とする。
【００１８】
上記目的達成のため、請求項１２記載の発明によるプログラムは、被写体を撮像する撮像処理と、
第１の撮影条件で前記撮像処理による撮像を制御する第１の撮像制御処理と、
第２の撮影条件で前記撮像処理による撮像を制御する第２の撮像制御処理と、
前記第１の撮像制御処理により得られた被写体像を含む画像データと、前記第２の撮像制御処理により得られた被写体像を含む画像データとから、スミア成分のない画像データを生成する処理と、
を含み、上記各処理をコンピュータで実行させることを特徴とする。
【発明の効果】
【００１９】
請求項１記載の発明によれば、第１の撮像制御手段により第１の撮影条件で得られた被写体像を含む画像データと、第２の撮像制御手段により第２の撮影条件で得られた被写体像を含む画像データとから、スミア成分のない画像データを生成するので、スミア成分のない良好な画像データを得ることができる。
【００２０】
請求項２記載の発明によれば、第１の撮影制御手段による撮像と、第２の撮像制御手段による撮像とを交互に繰り返す動画撮像制御手段を備え、生成手段は、第１の記憶手段に記憶されている画像データと、前記第２の記憶手段に記憶されている画像データとからスミア成分のない動画データを生成するので、スミア成分のない動画データを得ることができる。
【００２１】
請求項３記載の発明によれば、第１の撮影制御手段により撮像された画像データを第１の記憶手段に記憶する第１の記憶制御手段と、第２の撮像手段により撮像された画像データを第２の記憶手段に記憶する第２の記憶制御手段と、を備え、前記生成手段は、前記第１の記憶手段に記憶されている画像データと、前記第２の記憶手段に記憶されている画像データとからスミア成分のない画像データを生成するので、スミア成分のない良好な画像データを得ることができる。
【００２２】
請求項５記載の発明によれば、生成手段は、第１の記憶制御手段により画像データが第１の記憶手段に記憶され且つ第２の記憶制御手段により画像データが第２の記憶手段に記憶された場合、又は、前記第１の記憶手段及び前記第２の記憶手段に画像データが共に記憶されている状態で、前記第１の記憶制御手段又は前記第２の記憶制御手段のどちらか一方により、新たに前記第１の記憶手段又は前記第２の記憶手段に画像データが記憶された場合には、前記第１の記憶手段に記憶されている画像データと、前記第２の記憶手段に記憶されている画像データとからスミア成分のない画像データを生成するので、フレームレートを落とすことなくスミア成分のない画像データを生成することができる。
【００２３】
請求項６記載の発明によれば、生成手段により生成された画像データを記録手段に記録する記録制御手段を備えるようにしたので、スミア成分のない静止画像データ、スミア成分のない動画データを記録することができる。
【００２４】
請求項７記載の発明によれば、生成手段により生成された画像データを表示手段に表示させる表示制御手段を備えたので、スミア成分のない画像データを表示することができ、スルー画像表示においてもスミア成分のない画像データを表示させることができる。
【００２５】
請求項８記載の発明によれば、第１の撮影条件と、第２の撮影条件は、露光時間が異なるようにしたので、スミア成分のない画像データを得ることができる。
【００２６】
請求項９記載の発明によれば、前記撮像手段は、ＣＣＤを含み、第１の撮影条件と、第２の撮影条件は、ＣＣＤの垂直駆動周波数が異なるようにしたので、スミア成分のない画像データを得ることができる。
【００２７】
請求項１０記載の発明によれば、第１の撮影条件と、第２の撮影条件は、絞り値が異なるようにしたので、スミア成分のない画像データを得ることができる。
【００２８】
請求項１１記載の発明によれば、第１の撮影条件で被写体を撮像する第１のステップと、第２の撮影条件で被写体を撮像する第３のステップと、前記第１のステップにより得られた画像データと、前記第２のステップにより得られた画像データとから、スミア成分のない画像データを生成する第３のステップを含むので、スミア成分のない良好な画像データを得ることができる。
【００２９】
請求項１２記載の発明によれば、既存のデジタルカメラ、パソコン等に読み込ませることにより、本発明の撮像装置を実現することができる。
【発明を実施するための最良の形態】
【００３０】
以下、本実施の形態について、図面を参照して詳細に説明する。
[実施の形態]
Ａ．デジタルカメラの構成
図１は、本発明の撮像装置を実現するデジタルカメラ１の電気的な概略構成を示すブロック図である。
デジタルカメラ１は、撮影レンズ２、レンズ駆動ブロック３、絞り部４、ＣＣＤ５、ＴＧ（timing generator）６、ユニット回路７、スミア低減回路８、ＣＰＵ９、ＤＲＡＭ１０、メモリ１１、フラッシュメモリ１２、画像表示部１３、キー入力部１４、音声処理部１５、ストロボ駆動部１６、ストロボ発光部１７、カードＩ／Ｆ１８を備えており、カードＩ／Ｆ１８には、図示しないデジタルカメラ１本体のカードスロットに着脱自在に装着されたメモリ・カード１９が接続されている。
【００３１】
撮影レンズ２は、図示しないフォーカスレンズ、ズームレンズを含み、レンズ駆動ブロック３が接続されている。レンズ駆動ブロック３は、図示しないフォーカスレンズ、ズームレンズをそれぞれ光軸方向に駆動させるモータと、ＣＰＵ９からの制御信号にしたがってフォーカスモータ、ズームモータをそれぞれ駆動させるモータドライバから構成されている。
絞り部４は、図示しない駆動回路を含み、駆動回路はＣＰＵ９から送られてくる制御信号にしたがって絞り部４を動作させる。この絞り部４は、撮影レンズ２から入ってくる光の量を制御する。
【００３２】
ＣＣＤ５は、ＴＧ６によって走査駆動され、結像した被写体のＲＧＢ値の各色の光の強さを光電変換し、撮像信号としてユニット回路７に出力する。また、ＣＣＤ５は、電子シャッタ機能を有する。このとき、ＣＣＤ５は、奇数フレームの画像を撮像するときは、通常の露光時間（以下、露光時間１倍という）となるように電子シャッタ動作を行い、偶数フレームの画像を撮像するときには、通常の露光時間の１／ｋ倍となる露光時間（以下、露光時間１／ｋ倍）となるように電子シャッタ動作を行う。つまり、電子シャッタ動作により、露光時間の異なる撮像信号（露光時間１倍の撮像信号、露光時間１／ｋ倍の撮像信号）が交互にユニット回路７に出力される。
【００３３】
ユニット回路７は、ＣＣＤ５から出力される撮像信号を相関二重サンプリングして保持するＣＤＳ（Correlated Double Sampling）回路、そのサンプリング後の撮像信号の自動利得調整を行うＡＧＣ（Automatic Gain Control）回路、その自動利得調整後のアナログの撮像信号をデジタル信号に変換するＡ／Ｄ変換器から構成されており、ＣＣＤ５の撮像信号（アナログの画像データ）は、ユニット回路７を経てデジタル信号の画像データとしてスミア低減回路８に送られる。
【００３４】
スミア低減回路８は、ユニット回路７から交互に送られてきた露光時間１倍の画像データと露光時間１／ｋ倍の画像データを用いてスミア成分を除去した画像データをＣＰＵ９に送る。このスミア低減回路８については後で、詳細に述べる。
ＣＰＵ９は、スミア低減回路８から送られてきた画像データの画像処理（画素補間処理、γ補正、輝度色差信号の生成、ホワイトバランス処理、露出補正処理等）、画像データの圧縮・伸張（例えば、ＪＰＥＧ形式やＭＰＥＧ形式の圧縮・伸張）の処理などを行う機能を有するとともに、デジタルカメラ１の各部を制御するワンチップマイコンである。
【００３５】
メモリ１１には、ＣＰＵ９によるデジタルカメラ1の各部の制御に必要なプログラム、及び各部の制御に必要なデータが記録されており、ＣＰＵ９は、このプログラムにしたがって処理を行う
【００３６】
ＤＲＡＭ１０は、ＣＣＤ５によって撮像された後、ＣＰＵ９に送られてきた画像データを一時記憶するバッファメモリとして使用されるとともに、ＣＰＵ９のワーキングメモリとして使用される。
フラッシュメモリ１２やメモリ・カード１９は、ＣＣＤ５によって撮像された画像データに基づき作成された画像ファイルなどを保存しておく記録媒体である。このフラッシュメモリ１２やメモリ・カード１９は、本発明の記録手段に相当する。
【００３７】
画像表示部１３は、カラーＬＣＤとその駆動回路を含み、撮影待機状態にあるときには、ＣＣＤ５によって撮像された被写体をスルー画像として表示し、記録画像の再生時には、保存用フラッシュメモリ１２やメモリ・カード１９から読み出され、伸張された記録画像を表示させる。
キー入力部１４は、シャッタボタン、セットキー、十字キー等の複数の操作キーを含み、ユーザのキー操作に応じた操作信号をＣＰＵ９に出力する。
【００３８】
音声処理部１５は、内蔵マイク、アンプ、Ａ／Ｄ変換器、Ｄ／Ａ変換器、アンプ、内蔵スピーカ等を含み、音声付画像の撮影時には、内蔵マイクに入力された音声をデジタル信号に変換してＣＰＵ９に送る。ＣＰＵ９は、送られてきた音声データは、バッファメモリ（ＤＲＡＭ１０）に順次記憶され、ＣＣＤ５によって撮像された画像データとともにフラッシュメモリ１２又はメモリ・カード１９に記録される。
また、音声処理部１５は、音声付画像の再生時には、各画像データに付属する音声データに基づく音声等を内蔵スピーカから放音する。
【００３９】
ストロボ駆動部１６は、ＣＰＵ９の制御信号にしたがって、ストロボ発光部１７を閃光駆動させ、ストロボ発光部１７はストロボを閃光させる。ＣＰＵ９は、ＣＣＤ５からの出力、又は図示しない測光回路によって撮影シーンが暗いか否かを判断し、撮影シーンが暗いと判断し、且つ、撮影を行うと判断した場合（シャッタボタン押下時）には、ストロボ駆動部１６に制御信号を送る。
【００４０】
Ｂ.スミア低減回路８の構成
図２は、スミア低減回路８の電気的な概略構成を示すブロック図である。
スミア低減回路８は、ＳＷ（スイッチ）、画像データ保持部２０、画像データ保持部２１、生成手段２２から構成されている。生成手段２２は、増幅部２３、減算部２４、増幅部２５、減算部２６から構成されている。
【００４１】
ＳＷは、ユニット回路７から奇数フレーム（露光時間１倍）の画像データが送られてきた場合はＳＷを端子Ａの方へ切り替え、ユニット回路７から偶数フレーム（露光時間１／ｋ倍）の画像データが送られてきた場合には、ＳＷを端子Ｂの方へ切り替える。ユニット回路７からは、露光時間１倍の画像データと露光時間１／ｋ倍の画像データが交互に出力されるので、ＳＷはそれに伴って交互に端子Ａと端子Ｂに切り替える。ＳＷは、ＣＰＵ９からの制御信号にしたがって切り替えを行う。
【００４２】
画像データ保持部２０は、ユニット回路７から送られてきた露光時間１倍の画像データを生成手段２２の減算部２４、減算部２６に出力するとともに画像データを一定時間保持する記憶領域（第１の記憶手段）を有する。なお、画像データを記憶している場合には、ユニット回路７から新たに送られてきた画像データを上書きして記憶する。
画像データ保持部２１は、ユニット回路７から送られてきた露光時間１／ｋ倍の画像データを生成手段２２の増幅部２３に出力するとともに画像データを一定時間保持する記憶領域（第２の記憶手段）を有する。なお、画像データを記憶している場合には、ユニット回路７から新たに送られてきた画像データを上書きして記憶する。
【００４３】
ここで、ユニット回路７から交互に送られてくる露光時間１倍の画像データ、露光時間１／ｋ倍の画像データは、共に露光により得られたデータ（以下、露光データという）と、スミア成分のデータ（以下、スミアデータという）とからなる。
露光時間１倍の画像データの露光データをＩ、スミアデータをｓとすると露光時間１／ｋ倍の画像データの露光データはＩ／ｋ、スミアデータはｓとなる。つまり、露光時間１倍の画像データはＩ＋ｓとなり、露光時間１／ｋ倍の画像データはＩ／ｋ＋ｓとなる。
露光時間１／ｋ倍の露光データがＩ／ｋとなるのは、露光時間１／ｋ倍の画像データは、露光時間１倍の画像データより１／ｋ倍露光時間が短いためである。また、露光時間１／ｋ倍のスミアデータと、露光時間１倍のスミアデータが共にｓなのは、スミアデータは露光時間に影響されないからである。
【００４４】
増幅部２３は、画像データ保持部２１から送られてきた画像データをｋ倍増幅して減算部２４に出力する。つまり、増幅部２３に送られてきた画像データ（Ｉ／ｋ＋ｓ）は、Ｉ＋ｓ×ｋに増幅されて減算部２４に出力される。
減算部２４は、増幅部２３から送られてきた画像データ（Ｉ＋ｓ×ｋ）から画像データ保持部２０によって送られてきた画像データ（Ｉ＋ｓ）を減算する処理を行って、増幅部２５に出力する。つまり、減算部２４から出力される画像データは、ｓ（ｋ−１）となり、スミア成分のデータのみとなる。
【００４５】
増幅部２５は、減算部から送られてきた画像データを１／（ｋ−１）倍増幅して減算部２６に出力する。つまり、増幅部２５に送られてきた画像データ、ｓ（ｋ−１）は、ｓに増幅されて減算部２６に出力される。
減算部２６は、画像データ保持部２０から出力された画像データ（Ｉ＋ｓ）から、増幅部２５から送られてきた画像データ（ｓ）を引く処理を行って、ＣＰＵ９に出力する。したがって、ＣＰＵ９に送られてくる画像データは、スミアデータの無い、露光データのみのデータＩのみとなる。
このように、画像データ保持部２０に記憶された画像データと、画像データ保持部２１に記憶された画像データとからスミア成分のみのデータを生成し、該生成したスミア成分のみの画像データを画像データ保持部２０に記憶された画像データから減算することにより、スミア成分のない画像データを生成することができる。
【００４６】
Ｃ.以下、本発明の特徴となるデジタルカメラ１のそれぞれの構成の機能について説明する。
ユーザのキー入力部１４の操作によりデジタルカメラ１の電源がＯＮされると、ＣＰＵ９は、ＣＣＤ５に被写体の撮像を開始させる。このとき、ＣＣＤ５は、電子シャッタの動作により露光時間１倍と、露光時間１／ｋ倍のフレームの画像データを交互に撮像し、撮像されたフレームの画像データはユニット回路７を経て、スミア低減回路８に出力される。この露光時間１倍で撮像する機能は、本発明の第１の撮像制御手段に、露光時間１／ｋ倍で撮像する機能は、本発明の第２の撮像制御手段に相当する。また、露光時間１倍と、露光時間１／ｋ倍のフレーム画像データを交互に撮像する機能は、本発明の動画撮像制御手段に相当する。
【００４７】
１枚目のフレーム画像データがスミア低減回路８に入力されると、ＳＷにより端子Ａに接続され、１枚目のフレーム画像データは、画像データ保持部２０に記憶される。画像データ保持部２０に記憶される画像データは、露光時間１倍の画像データあることは言うまでもない。
次いで、２枚目のフレーム画像データがスミア低減回路８に入力されると、ＳＷにより端子Ｂに接続され、２枚目のフレーム画像データは、画像データ保持部２１に記憶される。画像データ保持部２１に記憶される画像データは、露光時間１／ｋ倍の画像データであることは言うまでもない。
次いで、画像データ保持部２０、画像データ保持部２１は、それぞれ記憶した１枚目のフレーム画像データ、２枚目のフレーム画像データを出力し、生成手段２２によりスミア成分のない１枚目のフレーム画像データが生成されＣＰＵ９に出力される。
【００４８】
次いで、３枚目のフレーム画像データがスミア低減回路８に入力されると、ＳＷにより端子Ａに接続され、３枚目のフレーム画像データは、画像データ保持部２０に上書きして記憶される。
次いで、画像データ保持部２０は、新たに記憶した３枚目のフレーム画像データを出力し、画像データ保持部２１は、記憶している２枚目のフレーム画像データを出力し、生成手段２２によりスミア成分のない２枚目のフレーム画像データが生成されＣＰＵ９に出力される。
【００４９】
次いで、４枚目のフレーム画像データがスミア低減回路８に入力されると、ＳＷにより端子Ｂに接続され、４枚目のフレーム画像データは、画像データ保持部２１に上書きして記憶される。
次いで、画像データ保持部２０は、記憶している３枚目のフレーム画像データを出力し、画像データ保持部２１は、新たに記憶した４枚目のフレーム画像データを出力し、生成手段２２によりスミア成分のない３枚目のフレーム画像データが生成されＣＰＵ９に出力される。
【００５０】
このように、被写体のスルー画像表示時においては、ＣＣＤ５は、露光時間１倍と、露光時間１／ｋ倍のフレーム画像データを交互に撮像し、露光時間１倍フレーム画像データは画像データ保持部２０に、露光時間１／ｋ倍の画像データは画像データ保持部２１に記憶される。そして、画像データ保持部２０、画像データ保持部２１のどちらかに新しいフレーム画像データが記憶されると、画像データ保持部２０及び画像データ保持部２１に記憶されているフレーム画像データからスミア成分のないフレーム画像データを生成してＣＰＵ９に出力する。
ＣＰＵ９は、スミア低減回路８から順次送られてきたフレーム画像データに対して画像処理を施して順次バッファメモリに記憶させ、バッファメモリに記憶されたフレーム画像データを画像表示部１３に表示させる。これにより、スミア成分のない被写体のスルー画像が画像表示部１３に表示される。
【００５１】
ＣＰＵ９は、被写体のスルー画像表示を行うと静止画撮影処理を行うか否かを判断する。この判断は、キー入力部１４からシャッタボタン押下に対応する操作信号が送られてきたか否かにより判断し、送られてきた場合には静止画撮影処理を行うと判断する。
ＣＰＵ９は、静止画撮影処理を行うと判断すると、ＡＥ処理（シャッタボタン押下時（直前又は直後でもよい）にＣＣＤ５により取得された画像データの輝度情報に基づき露光時間を決定する処理）及びＡＦ処理を行う。なお、シャッタボタンの半押し操作によりＡＥ処理及びＡＦ処理を行い、シャッタボタンの全押し操作により静止画撮影処理を行うようにしてもよい。
【００５２】
そして、ＣＰＵ９は、静止画撮影処理を開始する。このとき、ＣＰＵ９は、ＣＣＤ５に２回連続して被写体の撮影を行わせる。２回目に撮像される画像データは、ＡＥ処理によって定められた露光時間の１／ｋ倍の露光時間で得られた画像データである。
まず、ＣＣＤ５により１回目に撮像された画像データは、ユニット回路７を経てスミア低減回路８に出力される。スミア低減回路８に画像データが送られてくるとＳＷは端子Ａに接続され、画像データ保持部２０に記憶される。このとき、１回目に撮像される画像データは、ＡＥ処理によって定められた露光時間で得られた画像データである。
【００５３】
次に、ＣＣＤ５により２回目に撮像された画像データは、ユニット回路７を経てスミア低減回路８に出力される。スミア低減回路８に画像データが送られてくるとＳＷは端子Ｂに接続され、画像データ保持部２１に記憶される。このとき、２回目に撮像される画像データは、ＡＥ処理によって定められた露光時間の１／ｋ倍の露光時間で得られた画像データである。
【００５４】
そして、画像データ保持部２０、画像データ保持部２１に記憶された画像データは、生成手段２２を経て、スミア成分が除かれた画像データが生成され、該生成画像データはＣＰＵ９に送られる。
ＣＰＵ９は、該送られてきたスミア成分のない画像データに対して画像処理を施し、圧縮処理を行う。そして、該圧縮した画像データをフラッシュメモリ１２又はメモリ・カード１９に記録する。
【００５５】
Ｄ．デジタルカメラ１の動作
実施の形態におけるデジタルカメラ１の動作を図２のフローチャートにしたがって説明する。
ユーザのキー入力部１４の操作によりデジタルカメラ１の電源がＯＮされると、ＣＣＤ５による撮像を開始し、スミア成分を除去した被写体のスルー画像を画像表示部１３に表示させる（ステップＳ１）。このとき、ＣＣＤ５は、電子シャッタの動作により露光時間１倍と、露光時間１／ｋ倍のフレーム画像データを交互に撮像するという処理を開始する。ここでは、１フレーム、３フレーム、５フレーム等の奇数フレームを撮像するときは露光時間１倍で撮像し、２フレーム、４フレーム、６フレーム等の偶数フレームを撮像するときには露光時間１／ｋ倍で撮像する。
【００５６】
このＣＣＤ５により撮像された被写体のスルー画像からスミア成分を除去してスミア成分のない画像データを生成する処理は、スミア低減回路８によって行われる。図４は、このスミア低減回路８によるスミア成分のない画像データの生成の様子を示すものである。
まず、図４（ａ）に示すように、ＣＣＤ５により撮像された１枚目のフレーム画像データがスミア低減回路８に送られてくると、ＳＷを端子Ａに接続させ、１枚目のフレーム画像データを画像データ保持部２０に記憶させる。また、ＣＣＤ５により撮像された２枚目のフレーム画像データがスミア低減回路８に送られてくると、ＳＷを端子Ｂに接続させ、２枚目のフレーム画像データを画像データ保持部２１に記憶させる。そして、画像データ保持部２０、画像データ保持部２１は、該記憶している１枚のフレーム画像データを出力し、生成手段２２は、該送られてきた１枚目のフレーム画像データと２枚目のフレーム画像データから１枚のスミア成分のないフレーム画像データを生成する。
【００５７】
そして、図４（ｂ）に示すように、ＣＣＤ５により撮像された３枚目のフレーム画像データがスミア低減回路８に送られてくると、ＳＷを端子Ａに接続させ、３枚目のフレーム画像データを画像データ保持部２０に記憶させる。そして、画像データ保持部２０は、新たに記憶した３枚目のフレーム画像データを出力し、画像データ保持部２１は、記憶している２枚目のフレーム画像データを出力し、生成手段２２は、該送られてきた２枚のフレーム画像データから１枚のスミア成分のないフレーム画像データを生成する。
【００５８】
そして、図４（ｃ）に示すように、ＣＣＤ５により撮像された４枚目のフレーム画像データがスミア低減回路８に送られてくると、ＳＷを端子Ｂに接続させ、４枚目のフレーム画像データを画像データ保持部２１に記憶させる。そして、画像データ保持部２０は、記憶している３枚目のフレーム画像データを出力し、画像データ保持部２１は、新たに記憶した４枚目のフレーム画像データを出力し、生成手段２２は、該送られてきた２枚のフレーム画像データから１枚のスミア成分のないフレーム画像データを生成する。
【００５９】
そして、図４（ｄ）に示すように、ＣＣＤ５により撮像された５枚目のフレーム画像データがスミア低減回路８に送られてくると、ＳＷを端子Ａに接続させ、５枚目のフレーム画像データを画像データ保持部２０に記憶させる。そして、画像データ保持部２０は、新たに記憶した５枚目のフレーム画像データを出力し、画像データ保持部２１は、記憶している４枚目のフレーム画像データを出力し、生成手段２２は、該送られてきた２枚のフレーム画像データから１枚のスミア成分のないフレーム画像データを生成する。
【００６０】
このように、ＣＣＤ５は、露光時間１倍のフレーム画像データ、露光時間１／ｋ倍のフレーム画像データを交互に出力し、ＣＣＤ５から送られてきたフレーム画像データを交互に画像データ保持部２０、画像データ保持部２１に記憶させる。
そして、画像データ保持部２０及び画像データ保持部２１は、どちらか一方に新しいフレーム画像データが記憶されると、該記憶しているフレーム画像データを出力し、生成手段２２は、画像データ保持部２０及び画像データ保持部２１から送られてきたフレーム画像データから１枚のスミア成分のない画像データを生成してＣＰＵ９に出力する。
【００６１】
そして、ＣＰＵ９は、スミア低減回路８から送られてきたフレーム画像データに対して画像処理を施してバッファメモリに順次記憶させ、バッファメモリに記憶されたフレーム画像データを画像表示部１３に表示させるという、いわゆるスルー画像表示を行う。これにより、スミア成分のないスルー画像が画像表示部１３に表示される。
【００６２】
スミア成分のない被写体のスルー画像の表示を行うと、ユーザによりシャッタボタンが押下されたか否かの判断を行う（ステップＳ２）。この判断は、キー入力部１４からシャッタボタン押下に対応する操作信号が送られてきたか否かにより判断する。
ステップＳ２で、シャッタボタンが押下されていないと判断するとステップＳ１に戻り、シャッタボタンが押下されたと判断すると、ＡＥ・ＡＦ処理を行う（ステップＳ３）。
【００６３】
ＡＥ・ＡＦ処理を行うと、ＡＥ処理によって定められた露光時間で静止画撮影処理を行う（ステップＳ４）。このとき、静止画撮影処理によりＣＣＤ５から出力された画像データは、ユニット回路７を経て、スミア低減回路８に送られる。すると、ＳＷを端子Ａに接続させ、該スミア低減回路８に送られてきた画像データは画像データ保持部２０に記憶される。
次いで、ＡＥ処理によって定められた露光時間の１／ｋ倍の露光時間で静止画撮影処理を行う（ステップＳ５）。このとき、静止画撮影処理によりＣＣＤ５から出力された画像データは、ユニット回路７を経て、スミア低減回路８に送られる。すると、ＳＷを端子Ｂに接続され、該スミア低減回路８に送られてきた画像データは画像データ保持部２１に記憶される。
【００６４】
ついで、画像データ保持部２０、画像データ保持部２１は、該記憶している画像データを生成手段２２にそれぞれ出力し、生成手段は、送られてきた２枚の画像データからスミア成分を除去した画像データを生成して、ＣＰＵ９に送る（ステップＳ６）。
そして、ＣＰＵ９は、該送られてきた画像データに対して画像処理を施した後、圧縮し、該圧縮した画像データをフラッシュメモリ１２又はメモリ・カード１９に記録する（ステップＳ７）。
【００６５】
Ｅ．このように、実施の形態においては、デジタルカメラ１の電源がＯＮされると、ＣＣＤ５は、通常の露光時間のフレーム画像データと、通常の露光時間の１／ｋ倍の露光時間のフレーム画像データを交互に撮像する。この撮像されたフレーム画像データは、ユニット回路７を経て、スミア低減回路８に送られ、スミア低減回路８は該送られてきたフレーム画像データからスミア成分のないフレーム画像データを生成する。
【００６６】
図５は、ＣＣＤ５により撮像されるフレーム画像データと、スミア低減回路８によって生成されるフレーム画像データの様子を示すものである。図５に示すように、スミア低減回路８は、ＣＣＤ５によって撮像された１枚目のフレーム画像データと２枚目のフレーム画像データから１枚目の生成フレーム画像データを生成し、ＣＣＤ５によって撮像された２枚目のフレーム画像データと３枚目のフレーム画像データから２枚目の生成フレーム画像データを生成する。そして、ＣＣＤ５によって撮像された３枚目のフレーム画像データと、４枚目のフレーム画像データとから３枚目の生成フレーム画像データを生成する。このような処理をスミア低減回路８は行い、該生成された生成フレーム画像データをＣＰＵ９に送り、ＣＰＵ９は送られてきた生成されたフレーム画像データを画像表示部１０に表示させるというスミア成分のないスルー画像表示を行う。
【００６７】
そして、シャッタボタン操作が行われると、ＡＥ・ＡＦ処理を行ってから、ＡＥ処理によって定められた露光時間での静止画撮影処理と、ＡＥ処理によって定められた露光時間の１／ｋ倍の露光時間での静止画撮影処理を行い、スミア低減回路８は、該得られた２枚の画像データから１枚のスミア成分のない画像データを生成して、フラッシュメモリ１２やメモリ・カード１９に該生成した画像データを記録する。
【００６８】
Ｆ．以上のように、実施の形態においては、ＣＣＤ５は、露光時間１倍の画像データと、露光時間１／ｋ倍の画像データを交互に撮像し、スミア低減回路８は、ユニット回路７を経てＣＣＤ５から送られてきた露光時間１倍の画像データと、露光時間１／ｋ倍の画像データとから、１枚のスミア成分の画像データを生成するので、被写体のスルー画像表示においても、スミア成分のないスルー画像を表示することができる。
また、静止画撮影処理においても、ＡＥ処理によって定められた露光時間での撮影処理と、ＡＥ処理によって定められた露光時間の１／ｋ倍の露光時間での撮影処理を連続して行い、該得られた画像データからスミア成分のない画像データを生成して、記録するので、スミア成分のない画像データを撮影することができる。
【００６９】
また、スミア低減回路８は、図５に示すように、ＣＣＤ５によって撮像された１枚目のフレームと２枚目のフレームとから１枚目の生成フレームを生成し、２枚目のフレームと３枚目のフレームとから２枚目の生成フレームを生成し、３枚目のフレームと４枚目のフレームとから３枚目の生成フレームを生成するというように、一度生成用に使用したフレームを次の生成用のフレームとして使うので、フレームレートを落とすことなくスミア成分のない画像データを生成することができる。
【００７０】
［変形例１］
Ｇ．上記実施の形態は、以下のような変形例も可能である。
上記実施の形態においては、ＣＣＤ５は、露光時間１倍のフレーム画像データと、露光時間１／ｋ倍のフレーム画像データとを交互に撮像するようにし、スミア低減回路８において、その露光時間１倍のフレーム画像データと、露光時間１／ｋ倍のフレーム画像データとからスミア成分のないフレーム画像データを生成するようにしたが、ＣＣＤ５は、通常の垂直駆動周波数（以下、垂直駆動周波数１倍という）でのフレーム画像データの撮像と、通常の垂直駆動周波数の１／ｋ倍の垂直駆動周波数（以下、垂直駆動周波数１／ｋ倍という）でのフレーム画像データの撮像を交互に行い、スミア低減回路８において、該撮像された垂直駆動周波数１倍でのフレーム画像データと、垂直駆動周波数１／ｋ倍でのフレーム画像データとからスミア成分のないフレーム画像データを生成するようにしてもよい。
【００７１】
また、静止画撮影処理においても、同様に、垂直駆動周波数１倍で撮影処理を行い、その後、垂直駆動周波数１／ｋ倍で撮影処理を行う。そして、スミア低減回路８において、静止画撮影処理により得られた垂直駆動周波数１倍での画像データと、垂直駆動周波数１／ｋ倍での画像データからスミア成分のない画像データを生成し、該生成した画像データをフラッシュメモリ１２などに記録する。
なお、この垂直駆動周波数の切り替えはＣＰＵ９からの制御信号にしたがってＴＧ６よって行われ、奇数フレームを撮像するときには、垂直駆動周波数を垂直駆動周波数１倍にし、偶数フレームを撮像するときには、垂直駆動周波数を垂直駆動周波数１／ｋ倍にする。
【００７２】
この変形例１の場合は、スミア低減回路８の構成が以下のようになる。
図６は、変形例１におけるスミア低減回路８の電気的な概略構成を示すブロック図である。
上記実施の形態と同様に、スミア低減回路８は、ＳＷ、画像データ保持部２０、画像データ保持部２１、生成手段２２から構成されているが、生成手段２２の構成が異なる。生成手段は、増幅部２７、減算部２８、増幅部２９から構成されており、以下、スミア低減回路８の機能について説明する。
【００７３】
ＳＷは、ユニット回路７から奇数フレーム（垂直駆動周波数１倍）の画像データが送られてきた場合には、ＳＷを端子Ａの方に切り替え、ユニット回路７から偶数フレーム（垂直駆動周波数１／ｋ倍）の画像データが送られてきた場合には、ＳＷを端子Ｂの方へ切り替える。つまり、ユニット回路７からは垂直駆動周波数１倍の画像データと垂直駆動周波数１／ｋ倍の画像データが交互に出力されるので、ＳＷもそれに伴って交互に端子Ａと端子Ｂに切り替える。
【００７４】
画像データ保持部２０は、ＳＷによりユニット回路７から送られてきた垂直駆動周波数１倍の画像データを減算部２８に出力するとともに、画像データを一定時間保持する記憶領域を有する。
画像データ保持部２１はＳＷによりユニット回路７から送られてきた垂直駆動周波数１／ｋ倍の画像データを増幅部２７に出力するとともに、画像データを一定時間保持する記憶領域を有する。
このとき、垂直駆動周波数１倍の画像データをＩ（露光により得られデータ）＋ｓ（スミア成分のデータ）とすると、垂直駆動周波数１／ｋ倍の画像データは、Ｉ＋ｓ×ｋとなる。垂直駆動周波数によって露光により得られたデータは影響されないが、スミア成分のデータは垂直駆動周波数によって影響され、垂直駆動周波数に反比例するからである。
【００７５】
増幅部２７は、画像データ保持部２１から送られてきた画像データを１／ｋ倍して減算部２８に出力する。つまり、増幅部２７に送られてきた画像データ（Ｉ＋ｓ×ｋ）は、Ｉ／ｋ＋ｓに増幅されて減算部２８に出力される。
減算部２８は、画像データ保持部２０から送られてきた画像データ（Ｉ＋ｓ）から増幅部２７から送られてきた画像データ（Ｉ／ｋ＋ｓ）を減算する処理を行って、増幅部２９に出力する。つまり、減算部２８から出力される画像データは、Ｉ×（ｋ−１）／ｋとなり、露光により得られたデータのみとなる。
【００７６】
増幅部２９は、減算部２８から送られてきた画像データをｋ／（ｋ−１）倍に増幅し、ＣＰＵ９に出力する。つまり、増幅部２９に送られてきた画像データ、つまり、Ｉ×（ｋ−１）／ｋは、Ｉに増幅されてＣＰＵ９に送られる。したがって、ＣＰＵ９に出力される画像データは、スミア成分のない、露光データのみとなる。
これにより、上記実施の形態と同様の動作を行うことにより、フレームレートを落とすことなくスミア成分のないスルー画像を表示することができ、静止画撮影処理により得られた画像データもスミア成分のない画像データを得ることができる。
【００７７】
［変形例２］
Ｈ．上記実施の形態は、以下のような変形例も可能である。
上記実施の形態においては、ＣＣＤ５は、露光時間１倍のフレーム画像データと、露光時間１／ｋ倍のフレーム画像データとを交互に撮像するようにし、スミア低減回路８において、その露光時間１倍のフレーム画像データと、露光時間１／ｋ倍のフレーム画像データとからスミア成分のないフレーム画像データを生成するようにしたが、ＣＣＤ５は、通常の絞り値（以下、絞り値１倍という）でのフレーム画像データの撮像と、通常の絞り値のｋ倍の絞り値（以下、絞り値ｋ倍という）でのフレーム画像データの撮像とを交互に行い、スミア低減回路８において、該撮像された絞り値１倍のフレーム画像データと、絞り値ｋ倍でのフレーム画像データとからスミア成分のないフレーム画像データを生成するようにしてもよい。
【００７８】
また、静止画撮影処理においても、同様に、ＡＥ処理によって定められた絞り値で撮影処理を行い、その後、ＡＥ処理によって定められた絞り値のｋ倍の絞り値で撮影処理を行う。そして、スミア低減回路８において、静止画撮影処理により得られたＡＥ処理によって定められた絞り値での画像データと、ＡＥ処理により定められた絞り値のｋ倍の絞り値での画像データからスミア成分のない画像データを生成し、該生成した画像データをフラッシュメモリ１２などに記録する。なお、絞り値の切り替えは、ＣＰＵ９からの制御信号にしたがって絞り部４の図示しない駆動回路によって行われ、奇数フレームを撮像するときには、絞り値を絞り値１倍にし、偶数フレームを撮像するときには、絞り値を絞り値ｋ倍にする。
【００７９】
この変形例２の場合は、変形例１と同様スミア低減回路８の構成は図６のようになり、その機能及び動作も変形例１と同様なので説明を省略する。
なぜならば、絞り値１倍で撮像した画像データをＩ＋ｓとすると、絞り値ｋ倍で撮像した画像データはＩ＋ｓ×ｋとなり、上記した垂直駆動周波数１／ｋ倍で撮像したときと同じ成分になるからである。
【００８０】
なお、静止画撮影処理において、スミア成分のない画像データを生成するようにしたが、動画撮影処理においてもスミア成分のない画像データを生成してから記録するようにしてもよい。この場合には、スルー画像表示時におけるスミア成分のないフレーム画像データの生成と同じような処理を行う。つまり、スルー画像表示において生成したスミア成分のないフレーム画像データ（動画データ）をそのまま圧縮して、動画ファイルの形態でフラッシュメモリ１２やメモリ・カード１９に記録する。
【００８１】
また、上記実施の形態では露光時間のみ、変形例１では垂直駆動周波数のみ、変形例２では絞り値のみを変えて撮影を行うようにしたが、露光時間、垂直駆動周波数、絞り値のうち複数種類のパラメータを変えて撮影を行うようにし、スミア低減回路８においてスミア成分のない画像データを生成するようにしてもよい。
また、スミア低減回路８を用いて説明したが、スミア低減回路８を設けずに、スミア低減回路８と同様の処理をソフトウェアで行うようにしてもよい。
【００８２】
さらに、上記実施の形態におけるデジタルカメラ１は、上記の実施の形態に限定さるものではなく、カメラ付き携帯電話、カメラ付きＰＤＡ、カメラ付きパソコン、カメラ付きＩＣレコーダ、又はデジタルビデオカメラ等でもよく、要は被写体を撮影することができる機器であれば何でもよい。
【図面の簡単な説明】
【００８３】
【図１】本発明の実施の形態のデジタルカメラのブロック図である。
【図２】実施の形態におけるスミア低減回路８の電気的な概略構成を示すブロック図である。
【図３】実施の形態のデジタルカメラの動作を示すフローチャートである。
【図４】スミア低減回路８によるスミア成分のない画像データの生成の様子を示すものである。
【図５】ＣＣＤ５により撮像されるフレーム画像データと、スミア低減回路８によって生成されるフレーム画像データの様子を示すものである。
【図６】変形例１及び変形例２におけるスミア低減回路８の電気的な概略構成を示すブロック図である。
【符号の説明】
【００８４】
１      デジタルカメラ
２      撮影レンズ
３      レンズ駆動ブロック
４      絞り部
５      ＣＣＤ
６      ＴＧ
７      ユニット回路
８      スミア低減回路
９      ＣＰＵ
１０    ＤＲＡＭ
１１    メモリ
１２    フラッシュメモリ
１３    画像表示部
１４    キー入力部
１５    音声処理部
１６    ストロボ駆動部
１７    ストロボ発光部
１８    カードＩ／Ｆ
１９    メモリ・カード
【図１】
2006186423.tif 000003
【図２】
2006186423.tif 000004
【図３】
2006186423.tif 000005
【図４】
2006186423.tif 000006
【図５】
2006186423.tif 000007
【図６】
2006186423.tif 000008